(57)【要約】【課題】移動時に、カバン等のベルト取り付けフックにクリップ等で止め、スーツの上着１をずれないように保持することができ、カバンへの装着が簡単で、さらに確実であることのユニットを提供する。【解決手段】ベルト付帯式カバン２の両側のベルト取り付けフック３に夫々ばねタイプのクリップ４で止め、中間部をスーツ保持棒８で連結し、一体化として構成されている。そして、スーツ保持棒８の一方に伸縮タイプベルト６を設け、もう一方にマッジックテープタイプベルト７を設ける。また、伸縮ベルト６のもう一方に固定金具５に設けるように構成されている。これにより、スーツの上着１をずれないように保持することができ、装着が簡単で、さらに確実であることのユニットを提供することができる。【選択図】図１
2007289226.tif 000002
【特許請求の範囲】
【請求項１】
ベルト付帯式カバン等にあって、ベルト取り付けフックにばねタイプのクリップで止め、移動時に前記ベルト付帯式カバンの側面部にスーツの上着を保持することのできることを特徴とするジャケットキャリア。
【請求項２】
前記ジャケットキャリアのサイズ（長さ）はマジックテープタイプのバンドを使用し、任意のサイズ調整を可能にし、使用する前記カバンのサイズに合わせることのできることを特徴とする請求項1に記載のジャケットキャリア。
【請求項３】
前記ジャケットキャリアのずれ止めのひもは、伸縮タイプのベルトを使用することにより、前記ジャケットキャリア本体の長さ調整の際、ずれ止めのひもを嵌合式で行うため固定することができ、ずれ止めのひもをゆるめることがないことを特徴とする請求項１又は２に記載のジャケットキャリア。
【請求項４】
前記ジャケットキャリアにロールタイプのカバー部材をかぶせることにより前記スーツの汚れるのを防ぐことのできることを特徴とする請求項１〜３のいずれかの１項に記載のジャケットキャリア。
【請求項５】
前記ジャケットキャリアを前記ベルト付帯式カバン等への装着が簡単で、さらに確実であることを特徴とする請求項１〜４のいずれか１項に記載のジャケットキャリア。
【発明の詳細な説明】
【技術分野】
【０００１】
本発明は、移動時にベルト付帯式カバン等のベルト取り付けフックに、スーツの上着等を保持することのできるユニットに関するものである。
【背景技術】
【０００２】
移動時、特に、夏季の営業等で、スーツの上着を着用して移動するには、かなり無理がある。また、手に持っての移動や脇に挟んでの移動は前記上着を皺だらけにしてしまうことがある。さらに、前記カバンに前記上着をかけての移動は、ずれ落ちて汚れてしまうことがある。          
【０００３】
係る問題点を解決するため、下記特許文献に開示される前記スーツの上着等を保持することのできるユニットが公知である。この前記上着を保持することのできるユニットは、前記カバン等のベルト取り付けフックにクリップ等で止め、前記上着をずれないように保持することのできるユニットになっており、極めて便利になる。
【特許文献１】特許第３３３００３３号広報
【特許文献２】特開２０００-８３７９３号広報
【特許文献３】特開２００２-５８５８４号広報
【発明の開示】
【発明が解決しようとする課題】
【０００４】
本発明の課題は、移動時に、前記カバン等のベルト取り付けフックにクリップ等で止め、前記スーツの上着をずれないように保持することができ、前記カバンへの装着が簡単で、さらに確実であることのユニットを提供することである。
【課題を解決するための手段】
【０００５】
上記課題を解決するために本発明に係るジャケットキャリアは、ベルト付帯式カバン等にあって、ベルト取り付けフックにばねタイプのクリップで止め、移動時に前記ベルト付帯式カバンの側面部にスーツの上着を保持することのできることを特徴とするものであり、さらに、前記ジャケットキャリアを前記ベルト付帯式カバン等への装着が簡単で、さらに確実であることを特徴とするものである
【発明の効果】
【０００６】
この機構によるジャケットキャリアの作用・効果は、以下の通りである。まず、ベルト付帯式カバンの両側のベルト取り付けフックに夫々ばねタイプのクリップで止め、中間部をスーツ保持棒で連結し、一体化として構成されている。そして、スーツ保持棒の一方に伸縮タイプベルトを設け、もう一方にマジックテープタイプベルトを設ける。また、伸縮ベルトのもう一方に固定金具を設けるように構成されている。      
【０００７】
更に本発明は、伸縮ベルトに付帯の固定金具に、マジックテープ(登録商標)を通すことによりスーツの上着を容易に保持することができるように構成されている。
【０００８】
さらに、伸縮ベルトにおいては、用途に応じて、サイズ、材質の異なるものが複数用意されており、スーツの上着を保持することができるように構成されている。
また、マジックテープにおいても同様に複数用意されて、スーツの上着を保持することができるように構成されている。  
また、伸縮ベルト、マジックテープおいては、任意の位置に適宜設計変更を可能にできるように構成されている。
【０００９】
これにより、スーツの上着をずれないように保持することができ、装着が簡単で、さらに確実であることのユニットを提供することができる。
【発明を実施するための最良の形態】
【００１０】
本発明に係るジャケットキャリアの好適な実施形態を図面を用いて説明する。図１は実施形態に係るジャケットキャリアとその作用状態の一例を共に外観構成を示す斜視図、図２は待機状態におけるジャケットキャリアの外観構成を示す斜視図、図３は実施形態に係るジャケットキャリアをベルト付帯式カバンに装着した外観構成を示す斜視図、図４は作用状態におけるジャケットキャリアの外観構成を示す斜視図である。
【００１１】
各図に示すようにジャケットキャリアJは、ベルト付帯式カバン２の両側のベルト取り付けフック３に夫々ばねタイプのクリップ４で止め、中間部をスーツ保持棒８で連結し、一体化として構成されている。そして、スーツ保持棒８の一方に伸縮タイプベルト６を設け、もう一方にマジックテープタイプベルト７を設ける。また、伸縮ベルト６のもう一方に固定金具５に設けるように構成されている。
【００１２】
図１では、ベルト付帯式カバン２の両側のベルト取り付けフック３に夫々ばねタイプのクリップ４で止め、中間部をスーツ保持棒８で一体化として構成されており、スーツ保持棒８の一方に伸縮タイプベルト６を設け、もう一方にマジックテープタイプベルト７を設け、また、伸縮ベルト６のもう一方に設けられた固定金具５にマジックテープベルト７を通して固定することでスーツの上着１をずれないように保持することができる
【００１３】
また、図２においては、待機状態を示す。図１で示すように構成されており、スーツ保持棒８の一方に伸縮タイプベルト６を設け、そのベルトの先に固定金具５を設ける。また、スーツ保持棒８の他方にマジックテープタイプベルト７を儲け、開放状態を示す外観構成の斜視図である。
【００１４】
また、図３においては、開放状態の実施状態を示す参考図である。図２で示すように構成されており、ベルト付帯式カバン２に装着した外観構成を示す斜視図である。
【００１５】
次に、図４においては、作用状態を示す。図１、図２、図３で示すように構成されており、マジックテープベルト７を固定金具５に通して適当な力で引っ張り、固着することにより、伸縮ベルト６が適当に伸び、それが、スーツの上着１ずれないように保持することのできる緩圧となる。
【産業上の利用可能性】
【００１６】
本発明に係る実施形態のジャケットキャリアは、移動時、特に、夏季の営業等で、カバン等のベルト取り付けフックにクリップ等で止め、スーツの上着をずれないようにでき、スーツの上着を皺だらけにしたり、ずれ落ちて汚れてしまうことを防ぐことができる。また、スーツの上着だけでなく、コートやマフラーも二つ折り等の工夫をして活用することができる。
【図面の簡単な説明】
【００１７】
【図１】実施の形態に係るジャケットキャリアとその使用状態の一例を共に外観構成図として示す斜視図
【図２】実施の形態に係るジャケットキャリアの待機状態を示す斜視図
【図３】実施の形態に係るジャケットキャリアをベルト付帯式カバンに装着した図
【図４】実施の形態に係るジャケットキャリアの使用状態を示す斜視図
【符号の説明】
【００１８】
Ｊ    ジャケットキャリア
１    スーツ上着
２    ベルト付帯式カバン
３    ベルト取付けフック
４    ばねタイプクリップ
５    固定金具
６    伸縮タイプベルト
７    マジックテープタイプベルト
８    スーツ保持棒
【図１】
2007289226.tif 000003
【図２】
2007289226.tif 000004
【図３】
2007289226.tif 000005
【図４】
2007289226.tif 000006